【手続補正書】
【提出日】平成19年10月29日(2007.10.29)
【手続補正１】
【補正対象書類名】明細書
【補正対象項目名】特許請求の範囲
【補正方法】変更
【補正の内容】
【特許請求の範囲】
【請求項１】  光電変換素子と薄膜トランジスタからなる画素を２次元に配置したエリアセンサと、前記薄膜トランジスタのソース電極に接続され画素からの信号を読み出す読み出し装置と、前記薄膜トランジスタのゲート電極に接続され前記薄膜トランジスタを駆動するゲート駆動装置と、前記読み出し装置及び前記駆動装置の制御を行う制御手段と、を有しマトリクス駆動を行うことにより各フレームを撮像する撮像装置において、前記制御手段は各フレームの読み出しに必要な時間であるフレームレートを変化させる機能を有することを特徴とする撮像装置。
【請求項２】  前記制御手段は少なくとも前記薄膜トランジスタをＯＮさせる時間を独立に制御することにより、前記フレームレートを変化させることを特徴とする請求項１に記載の撮像装置。
【請求項３】  前記読み出し装置は、低域通過フィルタを有し、前記制御手段は前記低域通過フィルタのカットオフ周波数を前記フレームレートに応じて変化させることを特徴とする請求項１又は２に記載の撮像装置。
【請求項４】  光源を更に有し、前記制御手段が前記光源の照度、照射時間、波長のいずれかを制御することが可能であることを特徴とする請求項１乃至３のいずれか１項に記載の撮像装置。
【請求項５】  Ｘ線源を更に有し、前記制御手段が前記Ｘ線源の管電圧、管電流、照射時間のいずれかを制御することが可能であることを特徴とする請求項１乃至３のいずれか１項に記載の撮像装置。
【請求項６】  被写体の移動速度、年齢、心拍数のうちの少なくともいずれか１を入力する被写体情報入力手段を有し、前記制御手段は前記被写体情報入力手段の情報に基づき前記フレームレートを変化させることを特徴とする請求項１乃至５のいずれか１項に記載の撮像装置。
【請求項７】  前記被写体情報入力手段は、前記被写体の移動速度、前記心拍数のうちの少なくともいずれか１を自動的に検出する手段を有することを特徴とする請求項６に記載の撮像装置。
【請求項８】  １フレームにおける前記薄膜トランジスタをＯＮさせる時間は、前記光電変換素子の容量と、前記薄膜トランジスタの常温におけるＯＮ抵抗で決まる時定数の３倍以上であることを特徴とする請求項１乃至７のいずれか１項に記載の撮像装置。
【請求項９】  前記薄膜トランジスタはアモルファスシリコンを材料として用いていることを特徴とする請求項１乃至８のいずれか１項に記載の撮像装置。
【請求項１０】  光電変換素子はアモルファスシリコン、アモルファスセレン、ヨウ化鉛、ヨウ化水銀、ガリウム砒素、ガリウムリン、ＣｄＺｎ、ＣｄＺｎＴｅのいずれかを材料としていることを特徴とする請求項１乃至８のいずれか１項に記載の撮像装置。
【請求項１１】  Ｘ線を可視光に変換する波長変換体を更に有することを特徴とする請求項１乃至８のいずれか１項に記載の撮像装置。
【手続補正２】
【補正対象書類名】明細書
【補正対象項目名】００１１
【補正方法】変更
【補正の内容】
【００１１】
【課題を解決するための手段】
本発明による撮像装置は、光電変換素子と薄膜トランジスタからなる画素を２次元に配置したエリアセンサと、前記薄膜トランジスタのソース電極に接続され画素からの信号を読み出す読み出し装置と、前記薄膜トランジスタのゲート電極に接続され前記薄膜トランジスタを駆動するゲート駆動装置と、前記読み出し装置及び前記駆動装置の制御を行う制御手段と、を有しマトリクス駆動を行うことにより各フレームを撮像する撮像装置において、前記制御手段は各フレームの読み出しに必要な時間であるフレームレートを変化させる機能を有することを特徴とする。
【手続補正３】
【補正対象書類名】明細書
【補正対象項目名】００１２
【補正方法】変更
【補正の内容】
【００１２】
また、本発明による撮像装置は、上記の撮像装置において、前記制御手段は少なくとも前記薄膜トランジスタをＯＮさせる時間を独立に制御することにより、前記フレームレートを変化させることを特徴とする。
【手続補正４】
【補正対象書類名】明細書
【補正対象項目名】００１３
【補正方法】変更
【補正の内容】
【００１３】
更に、本発明による撮像装置は、上記の撮像装置において、前記読み出し装置は、低域通過フィルタを有し、前記制御手段は前記低域通過フィルタのカットオフ周波数を前記フレームレートに応じて変化させることを特徴とする。
【手続補正５】
【補正対象書類名】明細書
【補正対象項目名】００１４
【補正方法】変更
【補正の内容】
【００１４】
更に、本発明による撮像装置は、上記の撮像装置において、光源を更に有し、前記制御手段が前記光源の照度、照射時間、波長のいずれかを制御することが可能であることを特徴とする。
【手続補正６】
【補正対象書類名】明細書
【補正対象項目名】００１５
【補正方法】変更
【補正の内容】
【００１５】
更に、本発明による撮像装置は、上記の撮像装置において、Ｘ線源を更に有し、前記制御手段が前記Ｘ線源の管電圧、管電流、照射時間のいずれかを制御することが可能であることを特徴とする。
【手続補正７】
【補正対象書類名】明細書
【補正対象項目名】００１６
【補正方法】変更
【補正の内容】
【００１６】
更に、本発明による撮像装置は、上記の撮像装置において、被写体の移動速度、年齢、心拍数のうちの少なくともいずれか１を入力する被写体情報入力手段を有し、前記制御手段は前記被写体情報入力手段の情報に基づき前記フレームレートを変化させることを特徴とする。
【手続補正８】
【補正対象書類名】明細書
【補正対象項目名】００１７
【補正方法】変更
【補正の内容】
【００１７】
更に、本発明による撮像装置は、上記の撮像装置において、前記被写体情報入力手段は、前記被写体の移動速度、前記心拍数のうちの少なくともいずれか１を自動的に検出する手段を有することを特徴とする。
【手続補正９】
【補正対象書類名】明細書
【補正対象項目名】００１８
【補正方法】変更
【補正の内容】
【００１８】
更に、本発明による撮像装置は、上記の撮像装置において、１フレームにおける前記薄膜トランジスタをＯＮさせる時間は、前記光電変換素子の容量と、前記薄膜トランジスタの常温におけるＯＮ抵抗で決まる時定数の３倍以上であることを特徴とする。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２２
【補正方法】変更
【補正の内容】
【００２２】
更に、本発明による撮像装置は、上記の撮像装置において、光電変換素子はアモルファスシリコン、アモルファスセレン、ヨウ化鉛、ヨウ化水銀、ガリウム砒素、ガリウムリン、ＣｄＺｎ、ＣｄＺｎＴｅのいずれかを材料としていることを特徴とする。
【手続補正１３】
【補正対象書類名】明細書
【補正対象項目名】００２３
【補正方法】変更
【補正の内容】
【００２３】
更に、本発明による撮像装置は、上記の撮像装置において、Ｘ線を可視光に変換する波長変換体を更に有することを特徴とする。
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】